(57)【要約】【課題】開き戸の先端と開き戸の枠体との間に指などを挟む事故を防止し、不使用時には、離間部材を開き戸の先端面または枠体に形成された溝に収容し、不要なスペースを取らない。【解決手段】本考案の開き戸用ストッパーは、開き戸の戸先や戸尻に装着され、少なくとも一対の対向する面を有する基部と、その基部の一対の対向する面に形成された凹みに両端が嵌め込まれて支持された１本の軸と、その軸により一方の端が支持されてなる棒状の部材とを有する。操作時には、前記棒状の部材が、前記軸を中心として所定の角度回動するように支持されている。【選択図】図２
0003135383.tif 000002
【実用新案登録請求の範囲】
【請求項１】
少なくとも一対の対向する面を有する基部と、
該一対の対向する面に形成された凹みに両端が嵌め込まれて支持された１本の軸と、
該軸により一方の端が支持されてなる棒状の部材とを有する開き戸用ストッパーであって、
前記棒状の部材が、前記軸を中心として所定の角度回動するように支持されてなる
開き戸用ストッパー。
【請求項２】
前記棒状の部材の回動は、前記棒状の部材の前記一方の端に形成された第１の面と、前記基部に設けられた第２の面が当接することにより止まる請求項１記載の開き戸用ストッパー。
【請求項３】
前記棒状の部材の回動は、前記棒状の部材の前記一方の端に形成された第１の面と、前記基部に組み込まれた回転止め手段の第２の面が当接することにより止まる請求項１記載の開き戸用ストッパー。
【請求項４】
前記棒状部材の表面の少なくとも一部を覆うように緩衝部材を設けてなる請求項１〜３のいずれか１項に記載の開き戸用ストッパー。
【請求項５】
前記基部が、開き戸の戸先または枠体に形成された凹部に装着されてなる請求項１〜４のいずれか１項に記載の開き戸用ストッパー。
【考案の詳細な説明】
【技術分野】
【０００１】
本考案は開き戸用ストッパーに関する。さらに詳しくは、開き戸の枠体に開き戸の戸先が当接する手前で、開き戸の移動を抑止する開き戸用ストッパーに関する。
【背景技術】
【０００２】
従来、保育園、幼稚園、福祉施設等では、幼児や入居者が開き戸を閉める際に、開き戸の戸先と開き戸の枠体との間に、指などを詰める（挟む）という、不慮の事故が頻繁に起こっている。従来から、このような指詰め事故への対応策として、開き戸もしくは開き戸の枠体にドアストッパーを設ける方法が種々提案されている。
【０００３】
たとえば特許文献１には、開き戸の取っ手に、開き戸下端に内蔵されたストッパーを昇降させる機能を付与したドアストッパー機能付き開き戸の技術が開示されている。
【０００４】
また、特許文献２には、開き戸を完全に開放した際に、開き戸の取っ手を係止するため、開き戸の取っ手と同じ高さにおいて壁に設置されたドアストッパーの技術が開示されている。
【０００５】
【特許文献１】特開２００５−６８９４８号公報
【特許文献２】特開平８−６０９２９号公報
【考案の開示】
【考案が解決しようとする課題】
【０００６】
しかしながら、特許文献１の技術では、ストッパーを降ろすことにより、ストッパーと床との間に摩擦を発生させることで開き戸の動きを一時的に止めているだけであり、特に床にカーペットや畳が敷かれている場合は長期の使用によりそれらを傷つける問題がある。特に、使用者がストッパーを降ろした状態に気づかず無理に開き戸を開け閉めしようとしたときなどは、床を傷つけることが多く、注意が必要であった。
【０００７】
また、特許文献２の技術では、開き戸の取っ手と同じ位置のストッパーを壁に新設しなければならないという問題がある。さらに、このストッパーは常時壁に突設されており不要なスペースを取らざるを得なかった。
【０００８】
本考案は上述した従来の問題に鑑みたもので、開き戸と開き戸の枠体との間に指などを挟む事故を防止し、開き戸周辺を傷つけることなく、また枠体に不要な付帯設備を新設することのない開き戸用ストッパーを提供することを目的としている。
【課題を解決するための手段】
【０００９】
本考案の開き戸用ストッパーによれば、少なくとも一対の対向する面を有する基部と、該一対の対向する面に形成された凹みに両端が嵌め込まれて支持された１本の軸と、該軸により一方の端が支持されてなる棒状の部材とを有する開き戸用ストッパーであって、前記棒状の部材が、前記軸を中心として所定の角度回動するように支持されてなることにより上記目的が達成される。
【００１０】
また、前記棒状の部材の回動は、前記棒状の部材の前記一方の端に形成された第１の面と、前記基部に設けられた第２の面が当接することにより止まることが好ましい。
【００１１】
また、前記棒状の部材の回動は、前記棒状の部材の前記一方の端に形成された第１の面と、前記基部に組み込まれた回転止め手段の第２の面が当接することにより止まることが好ましい。
【００１２】
また、前記棒状部材の表面の少なくとも一部を覆うように緩衝部材を設けてなることが好ましい。
【００１３】
また、前記基部が、開き戸の戸先または枠体に形成された凹部に装着されてなることが好ましい。
【考案の効果】
【００１４】
本考案の開き戸用ストッパーを、開き戸の戸先または枠体に装着した場合には、開き戸の先端と枠体との間に指などを挟む事故を防止することができる。また、本考案の開き戸用ストッパーは、不使用時には、枠体と開き戸の先端面とを離間するための離間部材を開き戸の先端面または枠体に形成された溝に収容しておくことができ、不要なスペースを取らない。
【考案を実施するための最良の形態】
【００１５】
本考案の開き戸用ストッパーは、開き戸の戸先または枠体に装着され、少なくとも一対の対向する面を有する基部と、その基部の一対の対向する面に形成された凹みに両端が嵌め込まれて支持された１本の軸と、その軸により一方の端が支持されてなる棒状の部材とを有する。操作時に、前記棒状の部材が、前記軸を中心として所定の角度回動するように支持されている。後述する実施の形態１と２は、棒状の部材の回動を止める部分の形態の違いに応じたものである。
【００１６】
ここで、本明細書において、開き戸の枠体とは、建具（すなわち、開き戸）を支えるための枠組みを意味している。本明細書では、開き戸の戸先とは、開き戸と枠体の固着側と反対側、つまり開き戸を完全に閉めた際に、枠体と近接する側を意味している。
【００１７】
以下で、添付図面を参照しながら、本考案の開き戸用ストッパーを詳細に説明する。
【００１８】
図１（ａ）〜（ｃ）は、実施の形態１の開き戸用ストッパーの縦断面図であり、離間部材（棒状の部材）が基部の内部に収容された状態から突出した状態（使用時の形態）に至るまでの動きを示しており、（ａ）は、離間部材が基部の内部に収容されている状態、（ｂ）は、離間部材が基部の内部から一部突出した状態、（ｃ）は、離間部材が基部の内部から完全に突出した状態（使用時の形態）を説明するための図である。図２は、実施の形態１の開き戸用ストッパーおよび開き戸に形成された凹部を示す斜視図である。図３は、本考案の開き戸用ストッパーを戸先に装着して、使用している状態を説明するための図である。図４は、本考案の開き戸用ストッパーを開き戸の戸先に装着して使用している状態を説明するための断面図であり、（ａ）は、開き戸を開いている状態、（ｂ）は、離間部材の先端が開き戸の枠体に当接している状態、（ｃ）は、（ｂ）の拡大図を示す。図５（ａ）は、実施の形態２の開き戸用ストッパーの縦断面図であり、離間部材（棒状の部材）が基部の内部に収容されている状態を説明するための図であり、図５（ｂ）は、実施の形態２の開き戸用ストッパーの縦断面図であり、離間部材が基部の内部から突出した状態を説明するための図である。
【００１９】
実施の形態１
実施の形態１の開き戸用ストッパー１ａは、図１（ａ）〜（ｃ）、図２に示されるように、箱状の基部２と、基部２により支持された１本の軸（以下、回転中心軸という）３と、この回転中心軸３により一方の端が支持された棒状の部材（以下、離間部材という）４とから構成されている。
【００２０】
基部２は、開き戸用ストッパー１ａを開き戸に装着し、固定するための部材である。基部２は、離間部材４を収容空間２ａ（図１（ｃ）参照）内に収容できる程度の大きさであり、少なくとも一対の対向する面（以下、支持面という）２ｂを有している。支持面２ｂには、回転中心軸３の両端を支持するための、横長の凹み２ｃが、ちょうど向かい合うように形成されている。凹み２ｃの短辺は、回転中心軸３の直径よりもわずかに大きいか同径であり、長辺は、離間部材４を基部２内部から突出させる際に、離間部材４の回転中心軸側一端が、基部２に当接した後、その当接点を中心として板バネ５の湾曲部を押し曲げて突出状態に至るのに、回転中心軸３が取る動きに必要な長さがあれば充分である。凹み２ｃは、回転中心軸３の横断面形状に即した形状を呈しており、支持面２ｂを貫通する孔であってもよい。また、一対の対向する面を接続するように設けられた１つの面（以下、固定面という）２ｄには、開き戸用ストッパー１ａをねじ６を介して開き戸または枠体に固定するためのねじ孔７が形成されている。基部２の材質としては、とくに限定されないが、金属、合成樹脂などを用いることができる。
【００２１】
回転中心軸３は、離間部材４の回動の中心となる軸であり、また、離間部材４を基部２に保持するための部材である。回転中心軸３は、金属製の円柱状の部材で、その長さは一対の対向する支持面２ｂ間の距離より若干長い。既に述べたように、回転中心軸３の両端は、一対の対向する支持面２ｂに形成された凹み２ｃに嵌め込まれて、基部２の支持面２ｂにより支持される。
【００２２】
離間部材４は、使用時に開き戸の先端と枠体との間に突っ張って、開き戸の先端と枠体との間を離間するための部材である。離間部材４は、略中空角柱状を呈しており、その一方の端には、回転中心軸３を保持するための回転中心軸貫通孔４ａが、向かい合う２面を貫通するように形成されている。回転中心軸貫通孔４ａは、回転中心軸３の横断面形状に即した形状を呈しており、その大きさは、回転中心軸３の表面に中心軸貫通孔４ａの側縁が隙間なく密着する程度である。このように、中心軸貫通孔４ａの側縁を回転中心軸３の表面に密着させることで、離間部材４のグラつきを防ぎ、意図せず、離間部材４が回動することを防ぐ。また、離間部材４の一方の端面（以下、係止部という）４ｆは、図１（ａ）の状態から離間部材４が角度αだけ回動すると、固定面２ｄに当接する（図１（ｃ）参照）。言い換えれば、離間部材４の係止部４ｆと、基部２の固定面２ｄが当接することにより、離間部材４の回動が止まる。
【００２３】
すなわち、離間部材４が角度αだけ回動したときに、基部２の固定面２ｄと係止部４ｆとが当接するように、回転中心軸３の中心位置が設定されている。ここで、本実施の形態では、衝突時の衝撃により意図せず離間部材４が基部２内に収容される方向（図１（ｃ）反時計回り方向）に回動するのを防止するため、離間部材４の回動可能な角度αを、９０°より若干大きく設定することが好ましい。具体的には、９１°〜９３°が好ましい。たとえば、回動可能な角度αを９１°にする場合には、係止部４ｆまたは基部２の固定面２ｄの面に１°の勾配を形成する。
【００２４】
また、離間部材４の他方の端には、使用時に離間部材４および回転中心軸３に加わる衝撃をやわらげる緩衝機能、衝突するときの消音機能、および、開き戸または枠体の破損防止の機能を果たすために、その表面の一部を覆うように緩衝部材９が着脱可能に挿着されている。緩衝部材９の材質としては、とくに限定されないが、ゴムなどの弾力のある材料を用いることができる。緩衝部材９は、図１（ａ）〜（ｃ）に示されるように、直方体の対向する一対の面の一方が凸状の曲面を呈しており、他方の面には、離間部材４の中空部に挿し込むための挿着部９ａが形成されている。
【００２５】
図２に示されるように、開き戸用ストッパー１ａは、開き戸１０の戸先１０ａに形成された溝１０ｂに装着され、ねじ６を基部２に形成されたねじ孔７に挿通して開き戸１０に螺設することで固定されている。使用時には、利用者が離間部材４を角度αだけ倒し、離間部材４の他方の端（緩衝部材９が挿着されている方の端）を開き戸１０の進行方向に向けた状態で使用する。このことにより、開き戸１０の戸先１０ａが開き戸１０の枠体に向かって進行しても、開き戸１０が枠体に収まる（つまり扉が閉まる）前に、離間部材４の先端部が枠体に衝突して、開き戸１０の戸先１０ａと枠体とを離間させた状態で、開き戸１０の移動が制止する。
【００２６】
実施の形態１の開き戸用ストッパー１ａを開き戸に装着した場合の開き戸１０の動作について説明する。図３、図４（ａ）〜（ｃ）に示されるように、開き戸用ストッパー１ａは、利用者の邪魔にならない位置、この場合、開き戸１０の上方に固定されている。開き戸用ストッパー１ａの離間部材４が開き戸の戸先１０ａから進行方向に突出した分が、ちょうど開き戸１０の戸先１０ａと枠体８との間の離間距離ｘになる。開き戸１０の戸先１０ａに本考案の開き戸用ストッパー１ａを装着し、離間部材４を突出させた場合には、開き戸１０の戸先１０ａと枠体８との間に離間距離ｘを確保することができる。それゆえ、戸先１０ａと枠体８との間に指などを挟み込んでしまう事故を防止することができる。
【００２７】
実施の形態２
実施の形態２の開き戸用ストッパー１ｂは、ワンタッチで離間部材４を使用状態にすることができる。以下、後述の弾発手段１１、回転止め手段１２、付勢手段１３の作用機構を詳述するため、これら部位が回転中心軸３の下部に設置された例を用いる。実用途では、これら部位は回転中心軸の側部や上部に設置されることが好ましい。
【００２８】
実施の形態２の開き戸用ストッパー１ｂは、図４（ａ）および図４（ｂ）に示されるように、箱状の基部２と、中央に開口部が形成された板状の取付部材１５と、基部２に支持された１本の軸（以下、回転中心軸という）３と、この回転中心軸３により一方の端が支持された棒状の部材（以下、離間部材という）４と、離間部材４を基部２から弾発的に突出させるための回転中心軸３に巻き付けられた弾発手段１１と、離間部材４に係合して離間部材４の回動を止める回転止め手段１２と、回転止め手段１２を付勢する付勢手段１３とから構成されている。
【００２９】
基部２は、離間部材４を収容空間２ａ内に収容できる程度の大きさであり、少なくとも一対の対向する面（以下、支持面という）２ｂを有している。支持面２ｂには、回転中心軸３の両端を支持するための、横長の凹みが、ちょうど向かい合うように形成されている。凹みの短辺は、回転中心軸３の直径よりもわずかに大きいか同径であり、長辺は、離間部材４を基部２内部から突出させる際に、離間部材４の回転中心軸側一端が、基部２に当接した後、その当接点を中心として板バネの湾曲部を押し曲げて突出状態に至るのに、回転中心軸３が取る動きに必要な長さがあれば充分である。凹みは、回転中心軸３の横断面形状に即した形状を呈しており、支持面２ｂを貫通する孔であってもよい。また、基部２の上下には、基部２を開き戸１０に固定するための片２ｅが形成されている。片２ｅには、基部２を開き戸１０に固定するためのねじ孔７、１４が形成されている。基部２の材質としては、とくに限定されないが、金属、合成樹脂などを用いることができる。
【００３０】
取付部材１５は、中央に離間部材４を突出させるための開口部が形成された板状の部材である。取付部材１５の上下には、ねじ孔１５ａ、１５ｂが形成されている。また、離間部材４を突出させるための開口部の下方には、窪みが形成されており、その底部に回転止め手段１２の一部を貫通させるための操作部貫通孔１５ｃが形成されている。本実施の形態では、基部２および取付部材１５を開き戸１０に固定するためのねじ孔が、開き戸用ストッパー１ｂの正面に形成されているので、開き戸用ストッパー１ｂの装着が非常に容易な作業になる。取付部材１５の材質としては、とくに限定されないが、金属、合成樹脂などを用いることができる。
【００３１】
回転中心軸３は、実施の形態１と同様のものを用いることができるので、ここでの説明は省略する。
【００３２】
離間部材４は、図５（ａ）および図５（ｂ）に示されるように、略直方体状の棒状の部材であり、回転中心軸３により、回動可能に支持されている。離間部材４には、凹状に弾発手段収容空間４ｃが形成されている。また、離間部材４には、一方の端に、回転中心軸３を貫通させるための回転中心軸貫通孔４ａと、離間部材４を基部２の収容空間２ａ内部に収容した状態を維持するための凹部４ｄと、離間部材４の回動を制止するための第１の面（以下、係止部という）４ｂとが形成されている。また、離間部材４の一方の端における側縁部４ｅは、離間部材４が滑らかに回動するように、中心軸貫通孔４ａの中心と同心円状に弧を描くような形状を呈している（図５（ａ）および図５（ｂ）参照）。さらに、離間部材４には、他方の端に、緩衝部材９を取り付けるための挿着部９ａが形成されている。緩衝部材９は、挿着部９ａに嵌合し、離間部材４の表面の少なくとも一部を覆うように取り付けられている。緩衝部材９の材質としては、とくに限定されないが、ゴムなどの弾力のある材料を用いることができる。
【００３３】
弾発手段１１は、回転中心軸３に巻き付けられた金属製の線材であり、その一方の端１１ａを基部２の固定面２ｄに当接させて固定面２ｄを押圧し、他方の端１１ｂを離間部材４に形成された弾発手段収容空間４ｃ内の面に当接させて離間部材４を押圧している。
【００３４】
回転止め手段１２は、図５（ａ）および図５（ｂ）に示されるように、略Ｌ字状を呈している。回転止め手段１２の一方の端部（以下、操作部という）１２ａは取付部材１５に形成された操作部貫通孔１４ｃに貫通されて支持されており、回転止め手段１２が基部２の収容空間２ａ内に組込まれている。また、回転止め手段１２の他方の端部には離間部材４の回動を止めるための第２の面（以下、第２係止部という）１２ｂが形成されている。この第２係止部１２ｂによって、離間部材４の凹部４ｄまたは係止部（第１の面）４ｂが係止されることにより、離間部材４の回動が止まる。基部２の固定面２ｄに平行に設けられた回転止め手段１２の面には、付勢手段貫通孔１２ｃが形成されている。さらに、回転止め手段１２には、付勢手段貫通孔１２ｃに対向するように当接部１２ｄが突出して設けられている。当接部１２ｄおよび付勢手段貫通孔１２ｃは、後述する付勢手段１３を所定の位置に保持するために形成されたものである。
【００３５】
付勢手段１３は、図５（ａ）および図５（ｂ）に示されるように、圧縮コイルバネからなり、一方の端は基部２の固定面２ｄに当接され、回転止め手段１２に形成された付勢手段貫通孔１２ｃを経て、他方の端は回転止め手段１２の当接部１２ｄに当接されている。これにより、利用者が指などで回転止め手段１２の操作部１２ａを押圧して、回転止め手段１２を水平方向（図５（ａ）、紙面右方向）に移動させても、利用者が回転止め手段１２の操作部１２ａから指を離せば、回転止め手段１２は、付勢手段１３により付勢されて、水平方向（図５（ｂ）、紙面左方向）に移動し、元の位置に戻る。
【００３６】
つぎに、実施の形態２の開き戸用ストッパー１ｂの動作を説明する。
【００３７】
開き戸用ストッパー１ｂは、開き戸１０の戸先１０ａに形成された溝１０ｂに装着され、ねじ６を取付部材１５および基部２に形成されたねじ孔１４ａ、１４ｂに挿通して開き戸１０に螺設することで固定されている。不使用時には、回転止め手段１２の第２係止部１２ｂが離間部材４の凹部４ｄに係合しており、離間部材４が基部２の収容空間２ａ内に収容された状態を維持している。使用時には、利用者が回転止め手段１２の操作部１２ａを取付部材１５の外側から指などで押圧することで、回転止め手段１２が水平方向（図５（ａ）および図５（ｂ）の紙面左右方向）に移動する。この回転止め手段１２の水平移動により、第２係止部１２ｂが離間部材４の凹部４ｄから外れ、この瞬間に、弾発手段１１の他方の端５ｂが離間部材４を弾発的に押し倒し、弾発手段１１によって押圧力を受けた離間部材４は回転中心軸３を中心として回動する。この回動は、離間部材４に形成された係止部４ｂが、回転止め手段１２の第２係止部１２ｂと係合すると止まる。本考案の開き戸用ストッパー１ｂは、離間部材４の他方の端（緩衝部材９が挿着されている方の端）を開き戸１０の進行方向に向けた状態で使用する。このことにより、開き戸１０が枠体８に収まる（つまり扉が閉まる）前に、開き戸用ストッパー１ｂの離間部材４の先端部が枠体に衝突して、開き戸１０の先端と枠体とを離間させた状態で、開き戸１０の移動が制止する。
【００３８】
不使用時の状態に戻す際には、利用者が、離間部材４の端（緩衝部材９が取り付けられている方）を基部２の収容空間２ａ内に収まる方向に押し上げることで、離間部材４に形成された凹部４ｄに回転止め手段１２の第２係止部１２ｂが再び係合し、離間部材４が基部２の収容空間２ａ内に収容された状態になる。
【００３９】
実施の形態２の開き戸用ストッパー１ｂを開き戸１０に装着した場合の開き戸１０の動作は、前述した実施の形態１の場合と同様であるので、ここでの説明は省略する。
【００４０】
以上の実施の形態の開き戸用ストッパーによれば、使用時に、離間部材４の長手方向を開き戸１０の進行方向に向けた状態で支持することで、開き戸１０の進行方向先端部から離間部材４が突出した状態になる。この状態のまま、開き戸１０の先端が枠体８に向かって進行すると、離間部材４の先端部が枠体８に衝突し、開き戸１０の先端は枠体８から離間した状態で移動が止まる。これにより、本考案の開き戸用ストッパーを、開き戸１０の戸先１０ａに装着した場合には、開き戸１０の先端と枠体８との間に指を挟むなどの事故を防止することができる。また、本考案の開き戸用ストッパーは、不使用時には、離間部材４を開き戸１０の先端面に形成された溝１０ｂに収容しておくことができるので、開き戸１０の戸先１０ａと枠体８とを固定する鍵を設けることができ、防犯面に配慮することができる。
【００４１】
なお、上記実施の形態では、開き戸用ストッパー１ａ、１ｂを開き戸の戸先に形成された凹部１０ｂに装着した場合について説明したが、本考案はこれに限定されるものではなく、開き戸用ストッパー１ａ、１ｂを開き戸の枠体８に形成された凹部に装着してもよい。
【００４２】
また、上記実施の形態では、回転中心軸３を離間部材４とは別個の部材として説明したが、本考案はこれに限定されるものではなく、回転中心軸３が離間部材４に一体的に形成された部材であってもよい。
【００４３】
また、上記実施の形態では、開き戸用ストッパー１ａ、１ｂをねじ６を用いて開き戸１０に固定した場合について説明したが、本考案はこれに限定されるものではなく、開き戸用ストッパーに鍔を設けたり、あるいは接着剤や両面テープなどを用いて開き戸１０に固定してもよい。
【００４４】
また、上記実施の形態では、離間部材４を基部２に収納した際に、離間部材４が見えないよう（つまり開き戸１０と同じ高さの平面となるよう）カバーを設けることで、見栄えをよくすることができる。カバーは、開き戸と同素材であれば最も見栄えがよいが、特に限定されるものではない。
【００４５】
また、上記実施の形態１では、図１（ａ）に示される開き戸用ストッパー１ａが、基部２の形状が箱状である場合について説明したが、本考案の開き戸用ストッパーは、基部２の上部を切り落としたような形態であってもよい。この場合、使用者は、基部２の上部を切り落とした部分に指を入れて離間部材４を倒すことができるので、より簡単に開き戸用ストッパーを使用状態（離間部材４が突出した状態）にすることができる。
【図面の簡単な説明】
【００４６】
【図１】実施の形態１の開き戸用ストッパーの縦断面図であり、（ａ）は離間部材（棒状の部材）が基部の内部に収容されている状態、（ｂ）は、離間部材（棒状の部材）が基部の内部から一部突出した状態、（ｃ）は、離間部材（棒状の部材）が基部の内部から完全に突出した状態（使用時の形態）を説明するための図である。
【図２】実施の形態１の開き戸用ストッパーおよび開き戸に形成された凹部を示す斜視図である。
【図３】本考案の開き戸用ストッパーを戸先に装着して、使用している状態を説明するための図である。
【図４】本考案の開き戸用ストッパーを戸先に装着して使用している状態を説明するための断面図であり、（ａ）は、開き戸を開いている状態、（ｂ）は、離間部材の先端が開き戸の枠体に当接している状態、（ｃ）は、（ｂ）の拡大図である。
【図５（ａ）】実施の形態２の開き戸用ストッパーの縦断面図であり、離間部材（棒状の部材）が基部の内部に収容されている状態を説明するための図である。
【図５（ｂ）】実施の形態２の開き戸用ストッパーの縦断面図であり、離間部材（棒状の部材）の一部が基部の内部から突出した状態を説明するための図である。
【符号の説明】
【００４７】
１ａ、１ｂ  開き戸用ストッパー
２  基部
２ａ  収納空間
２ｂ  支持面
２ｃ  凹み
２ｄ  固定面
２ｅ  片
３  回転中心軸
４  離間部材
４ａ  回転中心軸貫通孔
４ｂ、４ｆ  係止部
４ｃ  弾発手段収容空間
４ｄ  凹部
４ｅ  側縁部
５  板バネ
６  ねじ
７、１４、１５ａ、１５ｂ  ねじ孔
８  枠体
９  緩衝部材
９ａ  挿着部
１０  開き戸
１０ａ  戸先
１０ｂ  溝
１１  弾発手段
１１ａ、１１ｂ  端
１２  回転止め手段
１２ａ  操作部
１２ｂ  第２係止部
１２ｃ  付勢手段貫通孔
１２ｄ  当接部
１３  付勢手段
１５  取付部材
１５ｃ  操作部貫通孔
ｘ  離間距離
【図１】
0003135383.tif 000003
【図２】
0003135383.tif 000004
【図３】
0003135383.tif 000005
【図４】
0003135383.tif 000006
【図５（ａ）】
0003135383.tif 000007
【図５（ｂ）】
0003135383.tif 000008